(57)【要約】【課題】回転台に於いて、画像表示装置の幅方向の中央部を支持する回転片をスムーズに回転させる。【解決手段】回転台1は、固定台2上に回転片3を回転自在に設けて構成され、回転片3はその周縁部に設けられたローラ30を介して固定台2に載置される。固定台2又は回転片3の何れか一方の中央部には、他方に接するボールベアリング23が設けられている。また、回転片3はカバー体10に覆われ、カバー体10の天面には回転片3に取り付けられるべき画像表示装置4の底面の中央部両側を受ける支持ローラ12が設けられている。【選択図】図２
2005101385.tif 000002
【特許請求の範囲】
【請求項１】
固定台(２)上に回転片(３)を回転自在に設けた回転台に於いて、
固定台(２)又は回転片(３)の何れか一方の中央部には、他方に接するボールベアリング(23)が設けられたことを特徴とする回転台。
【請求項２】
回転片(３)はその周縁部に設けられたローラ(30)を介して固定台(２)に載置される請求項１に記載の回転台。
【請求項３】
回転片(３)はカバー体(10)に覆われ、カバー体(10)の天面には回転片(３)に取り付けられるべき画像表示装置(４)の底面の中央部両側を受ける支持ローラ(12)が設けられている請求項１又は２に記載の回転台。
【請求項４】
請求項１乃至３に記載の回転台を具えた画像表示装置ユニット。
【発明の詳細な説明】
【技術分野】
【０００１】
本発明は、回転台及び該回転台と画像表示装置を具えた画像表示装置ユニットに関し、特にテレビジョン受像機が載置される回転台に関する。
【背景技術】
【０００２】
テレビジョン受像機が載置される回転台であって、使用者が回転を遠隔操作できるものには、図８に示すものが公知である(例えば、特許文献１参照)。
これは、固定台(２)上に回転片(３)を設け、該回転片(３)上にテレビジョン受像機である画像表示装置(４)が載置される。固定台(２)内には、回転片(３)を水平面内にて回転させるモータ(Ｍ)及びリモートコントローラ(以下、「リモコン」と称する)(７)の受光部(70)が設けられており、受光部(70)は通常受光ダイオードである。
図９は、従来の回転台(１)の内部ブロック図である。受光部(70)は制御手段(６)に接続され、制御手段(６)には前記モータ(Ｍ)及びメモリ(60)が接続される。リモコン(７)からの信号は、受光部(70)を介して制御手段(６)に入力され、制御手段(６)はモータ(Ｍ)を回転させ、回転片(３)を回転させる。メモリ(60)には、何れの方向に回転しているかが格納される。回転片(３)を水平面内にて回転させる(スィーベル動作と呼ばれる)ことにより、画像表示装置(４)を視聴者が視聴しやすい位置に向けることができる。
【特許文献１】実開平７−４３０１３号(図１)
【発明の開示】
【発明が解決しようとする課題】
【０００３】
近年、外観上のデザインに鑑みて、図１に示すように、回転台(１)にて画像表示装置(４)の幅方向の中央部を支持するものがある。このような構造では、画像表示装置(４)を支持する箇所が受ける負荷が大きい。
この点に鑑みて、回転片(３)の周縁部に、ローラ(図示せず)を設けて、回転片(３)をスムーズに回転させるものもある。しかし、画像表示装置(４)の大型化に伴って、該ローラが受ける負荷も大きくなり、ローラだけでは画像表示装置(４)をスムーズに回転させることが難しくなってきた。
本発明の目的は、回転台に於いて、画像表示装置の幅方向の中央部を支持する回転片をスムーズに回転させることにある。
【課題を解決するための手段】
【０００４】
固定台(２)上に回転片(３)を回転自在に設けた回転台に於いて、固定台(２)又は回転片(３)の何れか一方の中央部には、他方に接するボールベアリング(23)が設けられている。
また、回転片(３)はカバー体(10)に覆われ、カバー体(10)の天面には回転片(３)に取り付けられるべき画像表示装置(４)の底面の中央部両側を受ける支持ローラ(12)が設けられている。
【発明の効果】
【０００５】
本発明の構成にあっては、回転片(３)はボールベアリング(23)によって回転を支持される。これにより、画像表示装置(４)の大型化に伴って、回転片(３)に加わる負荷が大きくなっても、回転片(３)はスムーズに回転できる。
また、カバー体(10)の天面には回転片(３)に取り付けられるべき画像表示装置(４)の底面の中央部両側を受ける支持ローラ(12)(12)が設けられている。これにより、画像表示装置(４)の左右振れを抑え、この点でも画像表示装置(４)がスムーズに回転できる。
【発明を実施するための最良の形態】
【０００６】
以下、本発明の一例を図を用いて説明する。
図１は、本発明の回転台(１)に画像表示装置(４)を具えた画像表示ユニットの分解斜視図である。
画像表示装置(４)は具体的にはプラズマディスプレイであって、脚片(５)を介して回転台(１)に取り付けられる。画像表示装置(４)が正面を向く位置を中心位置とし、脚片(５)が水平面内にて、中心位置から左右約３０度に振り回転して、画像表示装置(４)の向きを変える。回転台(１)はリモコン(７)によって操作され、該リモコン(７)の信号は画像表示装置(４)に受信されて、回転台(１)に伝わる。
脚片(５)は、水平な腕片(52)と、該腕片(52)の両端部から上向きに突出し画像表示装置(４)の底部に嵌まる２本の支持棒(50)(50)と、回転台(１)に嵌まる嵌合棒(51)を具え、該嵌合棒(51)は画像表示装置(４)の幅方向の中央部に対応している。外観上のデザインに鑑みて、嵌合棒(51)の径は、画像表示装置(４)の幅寸法に比して十分細い。プラズマディスプレイは一般に大型であるから、嵌合棒(51)だけで画像表示装置(４)を支持すると、左右振れが大きくなり、回転しにくい虞れがある。この点に鑑みて、回転台(１)の天面には、画像表示装置(４)の底面を受ける支持ローラ(12)(12)が設けられている。これにより、画像表示装置(４)の左右振れを抑え、画像表示装置(４)がスムーズに回転できる。
【０００７】
図２は、回転台(１)の分解斜視図であり、図３は図２をＡ−Ａ線を含む面にて破断した断面図である。回転台(１)は固定台(２)上に回転片(３)を回転自在に設け、固定台(２)及び回転片(３)は、第１カバー体(10)及び第２カバー体(11)により覆われる。回転片(３)は固定台(２)に取り付けられるブラケット(25)によって固定台(２)からの抜けが防止される。回転片(３)からは給電用の端子(37)が設けられており、該端子(37)が画像表示装置(４)に接続される。回転片(３)は、画像表示装置(４)内の制御手段(図示せず)から通電される。回転片(３)の天面中央部には、筒体(38)が形成され、該筒体(38)に嵌合棒(51)が緊密に嵌まる。これにより、回転片(３)が回転すると、脚片(５)及び画像表示装置(４)が回転する。
【０００８】
固定台(２)は金属製の底板(20)上に収納皿(21)を取り付けて構成され、回転片(３)は収納皿(21)内に載置される。回転片(３)の周縁部には、複数のローラ(30)(30)が設けられているとともに、収納皿(21)の中央部には回転片(３)を受けるボールベアリング(23)が設けられており、これにより回転片(３)はスムーズに回転できる。
第１カバー体(10)には、前記嵌合棒(51)が通る第１開口(13)が開設され、第２カバー体(11)には回転片(３)が通る第２開口(14)が開設されている。
【０００９】
図４は、回転片(３)の分解斜視図である。回転片(３)は底面が開口し、該底面開口は覆い蓋(31)により覆われる。回転片(３)内には、スイッチ用基板(32)、モータ(Ｍ)及びギア列(34)が設けられており、覆い蓋(31)の周縁部には、円弧状の切欠き(33)が設けられている。ギア列(34)の下流側のギア(35)は、歯面の一部が切欠き(33)に臨出している。尚、モータ(Ｍ)及びギア列(34)は、覆い蓋(31)上に設けられていてもよい。
図５は、収納皿(21)の平面図である。収納皿(21)内には前記ギア(35)に噛合する円弧状のラック(24)が設けられている。該ラック(24)が回転片(３)の回転中心となす角をαとする。収納皿(21)には、後記の如く、回転片(３)のスイッチを作動させる突起(22)(22a)(22b)が設けられている。
【００１０】
図６は、回転片(３)の底面図である。覆い蓋(31)の切欠き(33)が回転片(３)の回転中心となす角βは、前記角αよりも大きく形成される。回転台(１)は前記の如く、中心位置に対して、左右に各３０度回転するから、角βは、角αよりも中心位置に対して±３０度、即ち６０度以上大きく形成される。前記突起(22)(22a)(22b)は中心位置、該中心位置から左に３０度、右に３０度ずれた位置に対応して夫々形成される。正確には回転片(３)の回転方向に沿う突起(22)(22a)(22b)の中央部が、中心位置、該中心位置から左に３０度、右に３０度ずれた位置に対応している。前記スイッチ用基板(32)には各位置を検出するスイッチ(ＳＷ1)(ＳＷ2)(ＳＷ3)及び各スイッチ(ＳＷ1)(ＳＷ2)(ＳＷ3)に被さる弾性変形可能な接片(36)が設けられている。
図７は、回転片(３)の回転時に、突起(22)によりスイッチ(ＳＷ1)が押し込まれる状態を示す側面図である。接片(36)が突起(22)の端部に振れると、接片(36)が弾性変形してスイッチ(ＳＷ1)を押し込む。スイッチ(ＳＷ1)は、端子(37)を介して制御手段に対しモータ(Ｍ)の回転停止を促す信号を送る。制御手段はモータ(Ｍ)への通電を遮断し、モータ(Ｍ)が回転停止する。
【００１１】
モータ(Ｍ)の回転を停止しても、慣性により回転片(３)は回転し続ける。本願では回転片(３)の回転方向に沿う突起(22)の中央部から端部までの長さＬは、この回転慣性量に相当する長さに形成されている。
即ち、モータ(Ｍ)の回転停止後に、慣性により回転片(３)は回転し続けても、回転片(３)は突起(22)の中央部にて停止する。これにより、回転片(３)は正しい位置にて停止することができる。尚、出願人は突起(22)の中央部から端部までの長さＬを、回転片(３)の回転角２度分と考えているが、この値に限定されない。
【００１２】
本例にあっては、回転片(３)はローラ(30)のみならず、ボールベアリング(23)によっても回転を支持される。これにより、画像表示装置(４)の大型化に伴って、回転片(３)に加わる負荷が大きくなっても、回転片(３)はスムーズに回転できる。
また、カバー体(10)の天面には回転片(３)に取り付けられるべき画像表示装置(４)の底面の中央部両側を受ける支持ローラ(12)(12)が設けられている。これにより、画像表示装置(４)の左右振れを抑え、この点でも画像表示装置(４)がスムーズに回転できる。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、固定台(２)にボールベアリング(23)を設けたが、回転片(３)にボールベアリング(23)を設けてもよい。
【図面の簡単な説明】
【００１４】
【図１】本発明の回転台に画像表示装置を具えた画像表示装置ユニットの分解斜視図である。
【図２】回転台の分解斜視図である。
【図３】図２をＡ−Ａ線を含む面にて破断した断面図である。
【図４】回転片の分解斜視図である。
【図５】収納皿の平面図である。
【図６】回転片の底面図である。
【図７】回転片の回転時に、突起によりスイッチが押し込まれる状態を示す側面図である。
【図８】従来の回転台の斜視図である。
【図９】従来の回転台の内部ブロック図である。
【符号の説明】
【００１５】
(１)  回転台
(２)  固定台
(３)  回転片
(10)  第１カバー体
(12)  支持ローラ
【図１】
2005101385.tif 000003
【図２】
2005101385.tif 000004
【図３】
2005101385.tif 000005
【図４】
2005101385.tif 000006
【図５】
2005101385.tif 000007
【図６】
2005101385.tif 000008
【図７】
2005101385.tif 000009
【図８】
2005101385.tif 000010
【図９】
2005101385.tif 000011